(57)【要約】【課題】爪の左右両縁部分を吸液材によりしっかりと摩擦して確実に拭うことができる指ケア用具を提供する。【解決手段】容器体２と、容器体２の中心軸を基軸に回動可能に取設される指保持具４と、容器体２の内に収容され爪ケア用液が含浸された吸液材１６と、蓋体６とを有し、指保持具４は、中空状のテーパー体からなる鞘部４ａと、この鞘部４ａの縮径側端部４ｂに延設されて，容器体２の底部２ｃに枢設される軸体８と、鞘部４ａの胴部に形成される窓部９と、鞘部４ａの拡径側端部４ｃに周設されるフランジ部１０とを備え、指保持具４の回転軸３と，鞘部４ａの中心軸１１との成す角度θ１は、１°≦θ１≦４５°の範囲内であり、窓部９においてＶ字形を成す窓縁９ａを含む平面Ｐは、鞘部９の中心軸１１よりも容器体２の内側面寄りに配設され、窓部９の窓縁９ａは、突条１２を具備し、この突条１２の凸面は曲面状であることを特徴とする爪ケア用具１Ａによる。【選択図】図７
2015213693.tif 000002
【特許請求の範囲】
【請求項１】
上部に開口を有する容器体と、この容器体の前記開口又はその近傍，及び，前記容器体の底部において支持されて，前記容器体の中心軸と平行な回転軸を基軸に回動可能に取設される少なくとも１つの指保持具と、前記容器体の内側面と前記指保持具との隙間に収容され，柔軟性を有しかつ爪ケア用液が含浸された吸液材と、前記容器体の前記開口を水密に封止するための蓋体とを有し、
前記指保持具は、中空状のテーパー体からなる鞘部と、この鞘部の縮径側端部又はその近傍に延設されて，前記容器体の前記底部に枢設される軸体と、前記鞘部の胴部がくさび形状に切り欠かれてなる窓部と、前記鞘部の拡径側端部に周設されるフランジ部とを備え、
前記指保持具の前記回転軸と，前記鞘部の中心軸との成す角度θ１は、１°≦θ１≦４５°の範囲内であり、
前記窓部においてＶ字形を成す窓縁を含む平面は、前記鞘部の前記中心軸よりも前記容器体の内側面寄りに配設されており、
前記窓部において前記Ｖ字形を形成する窓縁は、前記鞘部の内側に向かって突出する突条を具備し、
前記突条の凸面は曲面状であることを特徴とする爪ケア用具。
【請求項２】
前記突条の少なくとも一部又は全部は、前記鞘部よりも柔らかい材質からなることを特徴とする請求項１記載の爪ケア用具。
【請求項３】
前記鞘部に指を挿入した際に、前記Ｖ字形を形成する前記突条により指先が挟持されて、前記窓縁上に爪の先端部が載置されることを特徴とする請求項１又は請求項２に記載の爪ケア用具。
【請求項４】
前記軸体は着脱可能なアタッチメントを備えることを特徴とする請求項１乃至請求項３のいずれか１項に記載の爪ケア用具。
【発明の詳細な説明】
【技術分野】
【０００１】
本発明は、爪の表面をその隅々まできれいに拭ってケアすることのできる爪ケア用具に関する。
【背景技術】
【０００２】
本発明に関連する先行技術としては、特開平８−１２６５１８号公報（以下、特許文献１とよぶ），特開２００１−２８６３２８号公報（以下、特許文献２とよぶ），特開２００４−８４２７号公報（以下、特許文献３とよぶ），特許第５３５８７５２号公報（以下、特許文献４とよぶ）のそれぞれに開示される発明を発明してきた。
上記４件の発明はいずれも同一の発明者によるものであり、いずれも本発明の発明者の親族によるものである。はじめに、上記４件の発明の関連性について簡単に説明する。特許文献２に開示される発明は特許文献１の改良発明であり、特許文献３に開示される発明は特許文献２の改良発明である。また、特許文献４に開示される発明は特許文献１の改良発明であるが、特許文献２，３に開示される発明のように中空逆円錐状の指保護鞘を備えるものではない。
そして、本発明は上述の特許文献２，３に開示される発明の改良発明である。
ここで、特許文献２，３に開示される発明の技術内容について説明する。
【０００３】
特許文献２には「爪エナメル除去器」という名称で、手または足指先の爪エナメル塗布部のみを除去液を含んだ綿状体に接触摩擦させる事の可能な手または足指先の爪エナメル除去器に関する発明が開示されている。
特許文献２に開示される爪エナメル除去器は、除去液を含浸した綿状体を内壁面に沿って収容する略有底筒状容器と、上部開口端にそのフランジ部を回動可能に懸架され前記有底筒状容器内の底部に枢着される下端部付近から上方に向って開口する爪露出窓を備える有底筒状もしくは底方向に向かってすぼまる有底異形中空円錐管状の指保護鞘と、該上部開口端付近の螺子部で螺着される逆Ｕ字型断面の容器蓋とを備えてなるものである。
上記構成の特許文献２に開示される発明によれば、閉蓋時には除去液自体もしくは発生する溶剤等の揮発性気体の漏出を防止し、必要な場合のみ開蓋して容易にエナメル塗装した指先を挿入回動して容易にエナメル被膜を除去する事が出来、かつその際手指の皮膚部を除去液によって痛めないエナメル除去器を提供する事が出来る。
【０００４】
特許文献３には「爪エナメル除去器」という名称で、手または足指先の略爪エナメル塗布部のみを除去液を含んだ綿状体に対し扇型曲面で接触摩擦させる事の可能な手または足指先の爪エナメル除去器に関する発明が開示されている。
特許文献３に開示される爪エナメル除去器は、除去液を含浸した綿状体を内壁面に沿って収容する略有底筒状容器と、上部開口端にそのフランジ部を回動可能に懸架され前記有底筒状容器内の底部に枢着される下端部付近から上方に向って開口する爪露出窓を備える有底筒状もしくは底方向に向ってすぼまる略中空円錐状の指保護鞘（１箇以上）と、該上部開口端付近の螺子部で螺着される逆Ｕ字型断面の容器蓋とを備えてなる爪エナメル除去器において、前記指保護鞘の下端部軸心ＰＣが爪露出窓の反対方向に指軸ＦＡとの交叉角θ１（１°≦θ１≦３０°）だけ偏心している事を特徴とするものである。
特許文献３に開示される発明の、特許文献２に開示される発明に対する最も大きな改良点は、指保護鞘の軸を、その回転軸に対して１°≦θ１≦３０°だけ偏心させた点である。これにより爪上面における爪エナメルの払拭性を大幅に改善することに成功した。
【０００５】
また、本発明と関連性があると考えられる他の先行技術としては、以下に説明するような特許文献５に開示される発明がある。
特許文献５には「ネイルフォーム」という名称で、ジェルネイルの土台として用いるネイルフォームに関する発明が開示されている。
特許文献５に開示されるネイルフォームは、略中央に爪を露出させる開口部を有し、当該開口部の先端側のジェルネイルの支持領域の周囲には環状の壁部が設けられていることを特徴とするものである。
特許文献５に開示される発明によれば、ジェルネイルを塗布する際に壁部が防波堤のようになり、ジェルネイルが爪及びネイルフォームから垂れ落ちるのを防ぐことができる。また、壁部によりジェルネイルの形状をきれいに整えることができる。
【先行技術文献】
【特許文献】
【０００６】
【特許文献１】特開平８−１２６５１８号公報
【特許文献２】特開２００１−２８６３２８号公報
【特許文献３】特開２００４−８４２７号公報
【特許文献４】特許第５３５８７５２号公報
【特許文献５】特開２０１１−１６７３１５号公報
【発明の概要】
【発明が解決しようとする課題】
【０００７】
ここで、特許文献２，３に開示される発明を用いる場合の課題について、図１１を参照しながら説明する。
図１１は指の爪がある領域の爪の伸長方向に対する垂直断面図である。
特許文献２，３に開示される発明は、図１１に示す指先１４ａの左右両サイドの中ほどを、指の中心側に（図１１中の符号Ｒで示す方向）に押圧して指先を保持する構造を有している。
通常、指先１４ａにおける爪１５の左右両縁（境界１８）近傍では、指１４の肉が盛り上がっている。このような指先１４ａにおける左右両サイドを指の中心側に押圧すると、爪１５の境界１８近傍の盛り上がった指肉が押し縮められて、爪１５の境界１８が締まった状態になり、場合によっては爪１５の境界１８近傍の指の肉が堤防のように盛り上がった状態になり、例えば、エナメル除去液を含浸させた綿体で爪の表面を摩擦した際に、爪１５の境界１８部分に入り込んだ爪エナメルをスムースに除去できないという課題があった。
【０００８】
上述のような課題に対して、例えば、特許文献２，３に開示されるような指保護鞘を、特許文献５に開示されるようなネイルフォーム１００に置き換えることで、上述のような課題は解決できるとも考えられる。
しかしながらこの場合、爪エナメルの除去時に特許文献５に開示されるようなネイルフォーム１００から指が外れてしまわないように、使用者は特許文献５に開示されるネイルフォーム１００の端縁３ａに指先を強く押し当て続ける必要がある。
この場合、特許文献５に開示されるネイルフォーム１００の端縁３ａに押し当てられるのは指先の爪と指肉の境界部分であるため、爪エナメルの除去時に使用者が強い不快感や痛みを感じる可能性があった。そして、万一ネイルフォーム１００の端縁３ａが爪と指肉の境界部分にくい込んでしまった場合は、使用者が怪我をする危険もあった。
【０００９】
本発明はかかる従来の事情に対処してなされたものであり、爪の左右両側の境界部分のケアを、より具体的には、爪の左右両側の境界部分に入り込んだ爪エナメルを残さずスムースに除去することができ、かつ、その際に指先の爪と指肉の境界部分の痛みを感じにくい爪ケア用具を提供することにある。
【課題を解決するための手段】
【００１０】
上記目的を達成するため請求項１記載の発明である爪ケア用具は、上部に開口を有する容器体と、この容器体の開口又はその近傍，及び，容器体の底部において支持されて，容器体の中心軸と平行な回転軸を基軸に回動可能に取設される少なくとも１つの指保持具と、容器体の内側面と指保持具との隙間に収容され，柔軟性を有しかつ爪ケア用液が含浸された吸液材と、容器体の開口を水密に封止するための蓋体とを有し、指保持具は、中空状のテーパー体からなる鞘部と、この鞘部の縮径側端部又はその近傍に延設されて，容器体の底部に枢設される軸体と、鞘部の胴部がくさび形状に切り欠かれてなる窓部と、鞘部の拡径側端部に周設されるフランジ部とを備え、指保持具の回転軸と，鞘部の中心軸との成す角度θ１は、１°≦θ１≦４５°の範囲内であり、窓部においてＶ字形を成す窓縁を含む平面は、鞘部の中心軸よりも容器体の内側面寄りに配設されており、窓部においてＶ字形を形成する窓縁は、鞘部の内側に向かって突出する突条を具備し、突条の凸面は曲面状であることを特徴とするものである。
上記構成の請求項１記載の発明において、容器体は指保持具を直接又は間接的に回動可能に保持するとともに、爪ケア用液が含浸された吸液材を収容するという作用を有する。また、蓋体は、容器体を水密に封止するという作用を有する。
さらに、指保持具はケアしようとする指を保定するという作用を有する。この指保持具を、中空状のテーパー体からなる鞘部と、この鞘部の胴部をくさび形状に切り欠いてなる窓部とにより構成することで、鞘部におけるＶ字状の窓部の左右両側の窓縁により指先を挟持して保持するという作用を有する。また、軸体は鞘部をその中心軸に対して１−４５°の範囲内で偏心させた状態で容器体の底部に枢設させるという作用を有する。つまり、請求項１記載の発明において、鞘部の中心軸は、その回転軸に対して１−４５°の範囲内で偏心している。さらに、フランジ部は容器体の開口又はその近傍に鞘部を回動可能に係止させるという作用を有する。そして、Ｖ字形を形成する窓縁において鞘部の内側に向かって突出する突条は、Ｖ字形を形成する窓縁において挟持される指先の窓縁との接触部分を鞘部の内側に押圧するという作用を有する。
また、窓部のＶ字形を成す窓縁を含む平面が、鞘部の中心軸よりも容器体の内側面寄りに配設されることで、特許文献２，３に開示される指保護鞘と比較して、鞘部の深さが深くなる。これにより、鞘部の中空部内に指先を挿入した際に、指先の指肉が鞘部の中空部内に完全に収容されるとともに、爪は窓縁上に載置されたような状態で窓部から裸出する。このとき、先の図１１に示す指先において、爪の左右両方の境界近傍における指肉の盛り上がり部分は、突条により指の内側に押し込まれて爪が浮き上がったような状態となる。つまり、突条は指先の側面における爪と指肉の境界部分にくい込んだ状態となる。
そして、突条の凸面が曲面状であることで、指先の側面における爪と指肉の境界部分に突条がくい込んだ際に、使用者側が感じる痛みを軽減するという作用を有する。
【００１１】
請求項２記載の発明である爪ケア用具は、請求項１記載の爪ケア用具であって、突条の少なくとも一部又は全部は、鞘部よりも柔らかい材質からなることを特徴とするものである。
上記構成の請求項２記載の発明は、請求項１記載の発明と同じ作用に加えて、突条の少なくとも一部又は全部が鞘部よりも柔らかい材質のもので構成されることで、突条が指先の側面における爪と指肉の境界部分にくい込んだ際の、使用者が感じる痛みや違和感を一層軽減するという作用を有する。
【００１２】
請求項３記載の発明である爪ケア用具は、請求項１又は請求項２に記載の爪ケア用具であって、鞘部に指を挿入した際に、Ｖ字形を形成する突条により指先が挟持されて、窓縁上に爪の先端部が載置されることを特徴とするものである。
上記構成の請求項３記載の発明は、請求項１又は請求項２に記載の発明の鞘部に、ケアする指を挿入した際の爪と窓縁の位置関係をより詳細に特定したものであり、その作用は請求項１又は請求項２に記載の発明と実質的に同じである。
請求項３記載の発明の作用についてさらに詳細に説明すると、請求項３記載の発明によれば、鞘部にケアしようとする指先を差し入れた際に、Ｖ字形を形成する窓縁上に爪先が載置された状態になる。つまり、爪の左右両縁がしっかりと鞘部から裸出した状態になるので、この状態のまま容器体を回転軸を基軸に回動させることで、爪の表面の隅々をくまなく、吸液材を密着させたまま摩擦することができる。この結果、爪の表面の隅々を吸液材で拭うことが可能になる。よって、爪の左右側縁の指肉との境界部分の爪エナメルや汚れを迅速にかつ確実に拭い取ることを可能にするという作用を有する。あるいは、爪の左右側縁の指肉との境界部分に余すことなく爪ケア用液を行き渡らせるという作用を有する。
【００１３】
請求項４記載の発明である爪ケア用具は、請求項１乃至請求項３のいずれか１項に記載の爪ケア用具であって、軸体は着脱可能なアタッチメントを備えることを特徴とするものである。
上記構成の請求項４記載の発明は、請求項１乃至請求項３のそれぞれに記載の発明と同じ作用に加えて、容器体の底部に軸体を枢設する際に軸体と容器体の底部との間に介設されるアタッチメントは、鞘部と容器体の底部との間に隙間を出来にくくするという作用を有する。
これにより、吸液材を収容した容器体に指保持具を挿設する際に、軸部の先端と容器体の底部との間に吸液材が挟まるのを抑制するという作用を有する。
この場合、容器体に指保持部を適切にセッティングすることが可能となり、請求項４記載の発明の製造時に、不良品を発生し難くするという作用を有する。
【発明の効果】
【００１４】
本発明の請求項１，３に記載の発明によれば、指保持具の窓縁上に爪先を載置したような状態で窓部から爪の表面を裸出させつつ、指先の指肉は鞘部内にしっかりと収容することができる。さらに、請求項１記載の発明によれば、Ｖ字形を成す窓縁により指先の爪の左右両縁近傍における指肉の盛り上がった部分を爪の下に押し込んだ状態で指先を保持することができる。
この時、請求項１，３記載の発明では、窓縁に形成される突条により指先の爪と指肉の境界部分の指肉が指の中心側に押し込まれた状態になる。つまり、指先の爪と指肉の境界部分に突条がくい込んだ状態になるが、突条の凸面が曲面状であるため、使用者が指先に感じる痛みや不快感は大幅に軽減される。
つまり、請求項１，３記載の発明によれば、指保持具に指先を挿入した際に指先に痛みや不快感をあまり感じさせることなく、指先の爪と指肉の境界から上の部分（爪側）を窓部から裸出させる一方、指先の指肉部分は鞘部内に完全に収容した状態にすることができる。
特許文献２，３に開示される発明の場合、指保護鞘のＶ字形を成す窓縁を含む平面が指保護鞘の中心軸とほぼ一致するように配設されるため、指保護鞘の中心軸に対する垂直断面における中空部の深さ浅くなり、指の厚みのほぼ半分の領域しか指保護鞘内に収容することができなかった。このため、特許文献２，３に開示される発明では、指保護鞘のＶ字形を成す窓縁により押圧されるのは、爪と指肉の境界よりも手の平に近い側の指肉であった。この場合、爪の左右両縁近傍において盛り上がった指肉が、指保護鞘のＶ字形を成す窓縁により押し縮められて、爪の左右両縁に締まった堤防状の指肉の盛り上がりが形成されて、この堤防のような指肉の盛り上がりのために爪の左右両縁に吸液材をしっかりと接触させることが困難であった。
これに対して、本願請求項１，３に記載の発明では、指保持具のＶ字形を成す窓縁により指先を挟持した場合に、爪の左右両縁の指肉の盛り上がり部分は爪の下側に押し込まれた状態になるので、爪の左右両縁に上述のような締まった指肉の盛り上がりが形成されることはなく、爪の左右両縁がＶ字形を成す窓縁上に裸出した状態になる。この場合、容器体を回転軸を基軸に回動させた場合に、あるいは、容器体に収容される指を指保持具により保持したまま回転軸を基軸に鞘部回動させた場合に、爪の表面の隅々にまでくまなく吸液材を押し当てることができる。
つまり、爪の表面の隅々までくまなく吸液材で摩擦して拭うことができる。あるいは、爪の表面の隅々までくまなく吸液材に含浸される爪ケア用液を塗り広げることができる。
この結果、請求項１，３に記載の発明によれば、少ない回動動作で爪の表面の隅々までくまなくケアすることができる。つまり、迅速かつ確実に爪の表面の隅々までくまなくケアすることができる。
より具体的には、吸液材に含浸される液体が、例えば、爪エナメルを除去するための除去液である場合は、請求項１，３に記載の発明を使用することで、特許文献２，３に開示される発明を使用する場合に比べて、少ない回動動作で爪の左右両縁部における爪エナメルを確実に除去することができる。つまり、請求項１,３記載の発明によれば、迅速かつ確実に爪の表面から爪エナメルを除去することができる。
また、上述のような請求項１，３に記載の発明による効果は、鞘部の窓縁に形成される突条を、指先の左右両側の爪と指肉の境界にくい込ませることにより実現されるものであるが、請求項１，３に記載の発明では、突条の凸面が曲面状であるため、使用者が感じる指先の痛みや不快感を大幅に軽減される。よって、上述のような独自の効果を、使用者に痛みや不快感を与えることなく実現できる。
【００１５】
請求項２記載の発明は、請求項１記載の発明と同じ効果に加えて、突条の少なくとも一部又は全部が鞘部よりも柔らかい材質により形成されていることで、指先の爪と指肉の境界部分に突条がくい込んだ場合に、使用者が感じる違和感や痛みを一層軽減することができる。この結果、請求項２記載の発明を使用する際の使用感を快適にすることができる。
【００１６】
請求項４記載の発明は、請求項１乃至請求項３のそれぞれに記載の発明と同じ効果に加えて、請求項４記載の発明を組み立てる際に、容器体の底部と軸体の間に、吸液材が挟まるのを抑制できる。この場合、指保持具の回動動作を円滑にすることができる。よって、請求項４記載の発明を組み立てる際の製品の不良品化を防止して、製品製造時の歩留まりを高めることができる。
【図面の簡単な説明】
【００１７】
【図１】（ａ）本発明の実施の形態に係る爪ケア用具の回動軸方向断面図である。（ｂ）本発明の実施の形態に係る爪ケア用具の指保持具の平面図である。（ｃ）本発明の実施の形態に係る爪ケア用具の指保持具の側面図である。
【図２】本発明の実施の形態に係る爪ケア用具の回動軸方向断面図である。
【図３】本発明の実施の形態に係る爪ケア用具の指保持具の側面図である。
【図４】本発明の実施の形態に係る爪ケア用具の指保持具の中心軸に対する垂直断面図である。
【図５】図１（ｂ）中の符号Ｂで示す方向から見た矢視図である。
【図６】（ａ）本発明の実施の形態に係る指保持具に指を挿入した状態を示す平面図である。（ｂ）本発明の実施の形態に係る指保持具に指を挿入した状態を示す側面図である。（ｃ）図６（ａ）中のＣ−Ｃ線矢視断面図である。
【図７】本発明の実施の形態に係る爪ケア用具の使用状態を示す概念図である。
【図８】本発明の実施の形態の変形例に係る鞘部の中心軸に対する垂直断面図である。
【図９】本発明の実施の形態の他の変形例に係る鞘部の中心軸に対する垂直断面図である。
【図１０】（ａ）本発明の変形例に係る爪ケア用具の回動軸方向断面図である。（ｂ）本発明の変形例に係る爪ケア用具の指保持具の平面図である。（ｃ）本発明の変形例に係る爪ケア用具の指保持具の側面図である。
【図１１】指の爪がある領域における爪の伸長方向に対する垂直断面図である。
【発明を実施するための形態】
【００１８】
本発明の実施の形態に係る指ケア用具について図１乃至図１０を参照しながら説明する。
【００１９】
本実施の形態に係る指ケア用具の概要について図１乃至図７を参照しながら詳細に説明する。
図１（ａ）は本発明の実施の形態に係る爪ケア用具の回動軸方向断面図であり、（ｂ）は本発明の実施の形態に係る爪ケア用具の指保持具の平面図である。また、（ｃ）は本発明の実施の形態に係る爪ケア用具の指保持具の側面図である。さらに、図２は本発明の実施の形態に係る爪ケア用具の回動軸方向断面図である。なお、本実施の形態が理解されやすいよう図１では指ケア用具１Ａから吸液材１６を除いた構成を示している。
図１に示すように、本実施の形態に係る指ケア用具１Ａは主に、上部に開口２ａを有する容器体２と、この容器体２の開口２ａ及び容器体２の底部２ｃにおいて支持されて，容器体２の中心軸３を回転軸をとして回動可能に取設される指保持具４と、容器体２の内側面と指保持具４との隙間５に収容され，柔軟性を有しかつ爪ケア用液が含浸された吸液材１６（図２を参照）と、容器体２の開口２ａを水密に封止するための蓋体６とにより構成されるものである。
また、容器体２の開口２ａに回動可能に取設される指保持具４は、図１（ｂ），（ｃ）に示すように、中空状のテーパー体からなる鞘部４ａと、この鞘部４ａの縮径側端部４ｂ又はその近傍に延設されて，容器体２の底部２ｃに枢設される軸体８と、鞘部４ａの胴部４ｄがくさび形状に切り欠かれてなる窓部９と、鞘部４ａの拡径側端部４ｃに周設されるフランジ部１０とからなるものである。
【００２０】
本実施の形態に係る指ケア用具１Ａでは、容器体２の開口２ａに一体又は別体にフランジ受け部２ｂが設けられており、指保持具４のフランジ部１０を、容器体２のフランジ受け部２ｂに係止させるとともに、指保持具４の軸体８を容器体２の底部２ｃに係止させることで、軸体８の中心軸３（容器体２の中心軸３に同じ）を基軸に指保持具４を回動自在に保持することができる。
なお、本実施の形態に係る指ケア用具１Ａでは、容器体２の底部２ｃに断面凹状の突起物からなる軸受２ｄを設けておき、この軸受２ｄの凹部に軸体８を嵌合させて指保持具４を容器体２内に枢設する場合を例に挙げて説明しているが、軸体８の先端を容器体２の底部２ｃに垂直に当接させておくだけでも目的とする機能を発揮させることはできる。
また、本実施の形態に係る指ケア用具１Ａでは、容器体２における指保持具４の保持構造として、フランジ部１０及びフランジ受け部２ｂ、軸体８及び軸受２ｄを用いる場合を例に挙げて説明しているが、これらを用いる必要は必ずしもなく、容器体２に指保持具４を、中心軸３（回転軸）を基軸に回動可能に保定することができるのであればどのような構造を利用してもよい。
【００２１】
さらに、本実施の形態では１つの容器体２に指保持具４を１つのみ取設する場合を例に挙げて説明しているが、容器体２に複数の孔を備えたフランジ受け部２ｂを容器体２とは別体に又は一体に設け（図示せず）、この孔のそれぞれに指保持具４を取設する構成としてもよい。
この場合、太さの異なる指（例えば、手指と足指）のそれぞれをケアできる指保持具４を、１つの容器体２にセッティングすることができる。この結果、本実施の形態に係る指ケア用具１Ａの汎用性を高めることができる。
また、本実施の形態に係る指ケア用具１Ａでは、必要に応じて蓋体６にパッキン７を設けてもよい、この場合、容器体２を蓋体６で密封した場合の水密性を向上できるというメリットがある。特に、吸液材１６に含浸させる爪ケア用液が揮発性を有する場合に、例えば、爪ケア用液が爪エナメル除去用の除去液である場合に、爪ケア用液の揮発による減少を遅延させることができる。
【００２２】
なお、本実施の形態に係る指ケア用具１Ａでは、図２に示すように、吸液材１６として、筒状のスポンジ体をその軸方向に折り返して二重にしてなるものを使用する場合を例に挙げて説明しているが、吸液材１６の形態は上述のものに特定される必要は特にない。
より具体的には、吸液材１６は指保持具４の窓部９から鞘部４ａの中空部内にこぼれ落ちてくるような形態でなく、爪ケア用液が容易に液ダレすることなくしっかりと保持しておくことができるものであればどのような材質でも、どのような形態でもよい。
特に、吸液材１６として、上述のような筒状のスポンジ体をその軸方向に折り返して二重にしてなるものを用いる場合は、吸液材１６の中央部に孔が形成されるので、吸液材１６を収容した容器体２への指保持具４の設置が容易になるというメリットがある。
さらに、吸液材１６として筒状のスポンジ体をその軸方向に折り返して二重にしてなるものを用いる場合は、筒体の貫通孔内に押し込まれたスポンジ体が強く圧縮されるので、この部分における爪ケア用液の保液性が高まる。つまり、本実施の形態に係る指ケア用具１Ａにおいて、爪と接触する領域の吸液材１６にしっかりと爪ケア用液を含浸させておくことができるというメリットもある。
【００２３】
さらに、図１（ｃ）に示すように、本実施の形態に係る指ケア用具１Ａでは、指保持具４の回転軸３と、指保持具４を構成する鞘部４ａの中心軸１１との成す角度θ１は、１°≦θ１≦４５°の範囲内に設定されている。この場合、鞘部４ａにケアする指を挿入した際に、指保持具４の回転軸３から離れる方向に軽く指先を向けた状態で保持することができる。この結果、指保持具４又は容器体２を、回転軸３を基軸に回動させた際に、爪の表面に吸液材１６をしっかりと密着させることができる。なお、θ１の値を３０°を超えて偏心させた場合は、容器体２が大型化したり、鞘部４ａを回動させる際の摩擦が大きくなるなどして実用的でなくなるという懸念があるが、目的とする機能を発揮させるという点では問題はない。
【００２４】
図３は本発明の実施の形態に係る爪ケア用具の指保持具の側面図である。なお、図１，２に記載されたものと同一部分については同一符号を付し、その構成についての説明は省略する。
本実施の形態に係る指ケア用具１Ａでは、指保持具４の窓部９においてＶ字形を成す窓縁９ａを含む平面Ｐが、図２，３に示すように、鞘部４ａの中心軸１１よりも容器体２の内側面寄りに配設されている。別の言い方をすると、本実施の形態に係る指ケア用具１Ａでは、指保持具４の窓部９においてＶ字形を成す窓縁９ａを含む平面Ｐが、鞘部４ａの中心軸１１よりも回転軸３から離れた位置に配設されている。
この場合、指保持具４の中心軸３方向におけるＶ字形を成す窓縁を含む平面Ｐから鞘部４ａの最底部までの距離Ｓ（後段において示す図４を参照）を、特許文献２，３に開示されるそれぞれの発明に比べて相対的に大きく（深く）できる。この結果、特許文献２，３に開示される発明に比べて、指先を収容するための鞘部４ａの容積を大きくすることができる。
なお、本実施の形態において鞘部４ａの中心軸１１とは、鞘部４ａの仮想上の先端４ｅ（図３を参照）から任意の距離における鞘部４ａの断面中心と、上記先端４ｅとを結ぶ直線である。なお、上記記載において「鞘部４ａの断面」とは、窓部９を含めない中空テーパー体の鞘部４ａの断面を意味している。
【００２５】
図４は本発明の実施の形態に係る爪ケア用具の指保持具の中心軸に対する垂直断面図である。なお、図１乃至図３に記載されたものと同一部分については同一符号を付し、その構成についての説明は省略する。
本実施の形態に係る指ケア用具１Ａは、図１（ａ），（ｂ）及び図４に示すように、指保持具４の鞘部４ａに形成される窓部においてＶ字形を形成する窓縁９ａは、鞘部４ａの内側に向かって突出する突条１２Ａ（１２）を備えている。
後段において詳細に説明するが、この突条１２Ａを備えることで、鞘部４ａの中空部内にケアする指先を挿入した際に指先の指肉を突条１２Ａによりしっかりと押圧することができる。
さらに、この場合、突条１２Ａの凸面を曲面状にしておくことで、ケアしようとする指肉に突条１２Ａがくい込んだ際に、使用者が感じる痛みや不快感を大幅に軽減することができる。この結果、本実施の形態に係る指ケア用具１Ａの使用時の使用感を快適にできる。
【００２６】
図５は先の図１（ｂ）中の符号Ｂで示す方向から見た矢視図である。なお、図１乃至図４に記載されたものと同一部分については同一符号を付し、その構成についての説明は省略する。
本実施の形態に係る指保持具４では、鞘部４ａの中心軸１１が指保持具４の回転軸３に対して偏心している。このため、図５に示すように、鞘部４ａの中心軸１１と指保持具４の回転軸３とが一致していない。
よって、本実施の形態に係る指保持具４では、鞘部４ａの中空部内に指先を挿入した際に、指先が指保持具４の回転軸３方向に向けられるのではなく、指先は鞘部４ａの中心軸１１方向に向けられる。つまり、本実施の形態に係る指ケア用具１Ａでは、鞘部４ａに指先を挿入した際に、指先が回転軸である軸体８の中心軸３からわずかに離れる方向を向くように配設されることになる。
さらに、本実施の形態に係る指保持具４では、指保持具４を側面視した場合に、窓部９においてＶ字形を成す窓縁９ａが、鞘部４ａの中心軸１１上に配設されないことで、ケアする指先を保持する鞘部４ａの深さＳ（図３，４を参照）をより深くすることができる。このため、鞘部４ａの中空部内に指先を挿入した際に、鞘部４ａの湾曲面上に指先を載置した状態になるのではなく、窓部９から爪を裸出させながら爪以外の指肉はすっぽりと鞘部４ａの中空部内に収容した状態となる。
【００２７】
次に、図６，７を参照しながら本実施の形態に係る指ケア用具１Ａの使用方法について詳細に説明する。
図６（ａ）は本発明の実施の形態に係る指保持具に指を挿入した状態を示す平面図である。（ｂ）は本発明の実施の形態に係る指保持具に指を挿入した状態を示す側面図である。さらに、（ｃ）は図６（ａ）中のＣ−Ｃ線矢視断面図である。また、図７は本発明の実施の形態に係る爪ケア用具の使用状態を示す概念図である。なお、図１乃至図３に記載されたものと同一部分については同一符号を付し、その構成についての説明は省略する。
図６（ａ），（ｂ）に示すように、本実施の形態に係る指保持具４の鞘部４ａに指１４を挿入した場合、指先１４ａが窓部９を構成するＶ字形を成す窓縁９ａに挟持されて指１４が保定される。
このとき、図６（ｃ）に示すように、指１４の爪１５と指肉の境界１８（先の図１１を参照）に、指保持具４の窓縁９ａに突設される突条１２（１２Ａ）がくい込んだ状態になる。
この結果、図６（ａ），（ｂ）に示すように、指先１４ａの爪１５の先端部が、窓部９の窓縁９ａ上に載置された状態になり、爪１５の真下の指肉は、Ｖ字形を成す窓縁９ａに突設される突条１２より鞘部４ａの中空部内に押し込められた状態になる。
この時、窓縁９ａに突設される突条１２が指先１４ａの爪１５と指肉の境界１８間にくい込むため、突条１２の凸面が鋭角状だと使用者は指先１４ａに強い不快感や痛みを感じることになる。この場合の指先１４ａの痛みや不快感は、指先１４ａの爪１５と指肉の境界１８でない部分に突条１２が押し込まれる場合（特許文献２，３に開示される発明の場合）に比べてはるかに大きいものである。
このような事情により、本実施の形態に係る指ケア用具１Ａにおいて、突条１２の凸面を曲面状にしておく必要性は、特許文献２，３に開示される発明の場合の必要性に比べてはるかに高い。よって、本実施の形態に係る指ケア用具１Ａによれば、突条１２が指先１４ａの爪１５と指肉の境界にくい込んだ際に、使用者が指先に感じる不快感や痛みを大幅に軽減することができる。
【００２８】
そして、図６に示す状態の指を保定した指保持具４を、爪ケア用液が含浸された吸液材１６を収容した容器体２内にセッティングした状態を示したものが図７である。
本実施の形態に係る指ケア用具１Ａによれば、吸液材１６を収容した容器体２内に指保持具４をセッティングすると、指保持具４の窓部９から鞘部４ａの中空部内に吸液材１６の一部が突出した状態になるので（図２を参照）、この状態の指保持具４に、先の図６に示すよう指１４を保定すると、指１４の爪１５が配される側の面と吸液材１６の突出面が密着した状態になる（図７を参照）。
そして、図７に示す状態で、容器体２を指保持具４の回転軸３（容器体２の中心軸に同じ）を基軸に回動させると、あるいは、指保持具４に指１４を挿入した状態で指保持具４を回転軸３を基軸に回動させると、爪１５の表面が吸液材１６の突出面により、指１４の周方向に摩擦される。
このとき、指先１４ａの爪１５の左右両側の境界１８近傍にある指肉の盛り上がり部は（図１１を参照）、指保持具４の窓縁９ａに形成される突条１２により鞘部４ａの中空部に押し込まれて、窓部９の窓縁９ａ上には爪１５のみが浮き上がる様にして裸出した状態になるので、吸液材１６により爪１５の表面の隅々をくまなく摩擦して拭うことができる。
この結果、特許文献２，３に開示される発明を用いる場合に比べて、少ない容器体２又は指保持具４の回動動作で、爪１５の表面を隅々までしっかりとケアすることができる。
【００２９】
より具体的には、吸液材１６に含浸される爪ケア用液が、例えば、爪エナメルを除去するための除去液である場合、本実施の形態に係る指ケア用具１Ａを用いることで、指先１４ａの爪１５の境界１８部分の爪エナメルも残さず吸液材１６で拭い取って除去することができる。
つまり、特許文献２，３に開示される発明を用いる場合よりも、迅速かつ確実に爪１５の表面から爪エナメルを除去することができる。
【００３０】
さらに、本実施の形態に係る指ケア用具１Ａでは、指保持具４における窓部９のＶ字形（略Ｖ字形の概念も含む）を成す窓縁９ａ，９ａの成す角度θ２を１８°≦θ２≦９０°の範囲に設定しておくとよい。この場合、鞘部４ａに挿入される指の太さが様々である場合でも、窓縁９ａ，９ａによりしっかりと指先１４ａを保定することができる。より具体的に説明すると、鞘部４ａに挿入する指１４が太い場合は、鞘部４ａの拡径側端部４ｃ側で、指１４が細い場合は縮径側端部４ｂで指先を保持することができる。
さらに、θ２の値が９０°を超えて大きいと、鞘部４ａの縮径側端部４ｂ側に指肉を押し込むことが難しくなる。他方、θ２の値が１８°を下回る場合は指先１４ａの爪１５の左右両縁部の境界１８と窓縁９ａ，９ａを接触させることが困難になる。この場合、窓縁９ａ，９ａにより指１４のＤＩＰ関節やＰＩＰ関節部分が挟持されることになる。
【００３１】
なお、本実施の形態に係る指ケア用具１Ａにおける指保持具４は、窓部９のＶ字形を成す窓縁９ａにより指先１４ａの爪１５下の指肉をしっかり挟持する必要があるため、鞘部４ａ自体は十分な剛性を有する材質により構成されていることが好ましい。より具体的には、合成樹脂を成型して鞘部４ａを、あるいは、指保持具４を構成すれば、廉価に指保持具４を提供できる。
また、本実施の形態に係る指ケア用具１Ａでは、先の図４に示すように、窓縁９ａを、鞘部４ａを形成する材質よりも柔らかい軟質材１３でコーティングして突条１２Ａを形成している。
この場合、指保持具４の窓部９の窓縁９ａに突設される突条１２が指先１４ａにくい込んだ際の、使用者の強い不快感や痛みを軽減することができる。
この結果、本実施の形態に係る指ケア用具１Ａの使用時の使用感を快適なものにすることができる。
なお、本実施の形態に係る指ケア用具１Ａでは、図４に示すような突条１２Ａに特定した指保持具４Ａを用いる必要はない。
ここで、図８，９を参照しながら窓部９の窓縁９ａに突設される突条１２の変形例について説明する。
【００３２】
図８は本発明の実施の形態の変形例に係る鞘部の中心軸に対する垂直断面図であり、図９は本発明の実施の形態の他の変形例に係る鞘部の中心軸に対する垂直断面図である。なお、図１乃至図７に記載されたものと同一部分については同一符号を付し、その構成についての説明は省略する。
本実施の形態に係る指ケア用具１Ａでは、例えば図８に示すように、鞘部４ａと同じ材質のもので窓縁９ａと一体に形成した突条１２Ｂ備える指保持具４Ｂを用いてもよい。この場合、先の図４に示すように、軟質材１３を用いて突条１２を形成する場合に比べて、廉価に本実施の形態に係る指ケア用具１Ａを提供できる。
このように、突条１２を軟質材１３により形成しなくとも、突条１２Ｂの凸面を曲面状にしておくだけでも十分に、突条１２Ｂが指先１４ａの爪１５と指肉の間にくい込んだ際の、使用者が指先に感じる痛みや不快感を軽減することができる。
さらに、本実施の形態に係る指ケア用具１Ａでは図９に示すように、先の図８に示す形態の突条１２Ｂのみを軟質材１３で形成してなる突条１２Ｃを備えた指保持具４Ｃを用いてもよい。この場合は、図８に示す突条１２Ｂを採用する場合に比べて、使用者が指先１４ａに感じる痛みや不快感を一層軽減して、使用感を一層快適にできる。
【００３３】
さらに、本実施の形態に係る指ケア用具１Ａでは、図８，９に示すように指保持具４に形成される窓部９の窓縁９ａの開放側の端面を平坦状にしておくとよい。
この場合、先の図６，７に示すように指保持具４の窓縁９ａ上に爪１５を載置するように指１４を保持した際に、窓縁９ａから爪１５に対して押し上げるような力が作用し難くなるので、指保持具４に指１４を保定した際の使用者が感じる不快感や痛みを一層軽減できるというメリットがある。
よって、このような本実施の形態に係る指ケア用具１Ａによれば、より快適な使用感を有する指ケア用具１Ａを提供できる。
【００３４】
本実施の形態に係る指ケア用具１Ａによれば、特許文献２，３に開示される発明を用いる場合に比べて、迅速にかつ確実に爪１５の表面を隅々までくまなくケアすることができる。
よって、例えば、吸液材１６に含浸される爪ケア用液が人体に好ましくない成分を含有する場合は、そのような爪ケア用液と皮膚との接触時間を最少限度にできるというメリットがある。
したがって、本実施の形態に係る指ケア用具１Ａによれば、従来（特許文献２，３に開示される）の指ケア用具に比べて高性能で、使用感も快適であり、しかも、より人に優しい指ケア用具１Ａを提供することができる。
【００３５】
最後に、本実施の形態に係る指ケア用具１Ａの他の変形例について図１０を参照しながら説明する。
図１０（ａ）は本発明の変形例に係る爪ケア用具の回動軸方向断面図である。（ｂ）は本発明の変形例に係る爪ケア用具の指保持具の平面図である。さらに、（ｃ）は本発明の変形例に係る爪ケア用具の指保持具の側面図である。なお、図１乃至図９に記載されたものと同一部分については同一符号を付し、その構成についての説明は省略する。
特許文献３に開示される発明（爪エナメル除去器）では、その製造の際の組立時に、指保護鞘（本実施の形態に係る鞘部４ａに相当）に突設される支持軸を、容器体の底部に設けられる軸受に直接嵌設していた。特許文献３に開示される発明における指保護鞘の支持軸は、指保護鞘の中心軸に対して偏心しているので、爪エナメルを除去するための除去液を含浸させた綿状体を容器体内に収容した後に指保護鞘を差し込む作業を行う際に、容器体の底部に設けられる軸受と、これに嵌設される支持軸との間に綿状体が挟まり易いという課題があった。
この場合、指保護鞘の回動動作がスムースにできなくなり、製品が不良品化するという不具合が頻繁に生じていた。
【００３６】
このような事情に対して本発明の変形例に係る指ケア用具１Ｂは、容器体２の底部２ｃに形成される軸受２ｄと、鞘部４ａの縮径側端部４ｂ側に突設される軸体８（回転軸）との間にアタッチメント１７を介設したものである。なお、このアタッチメント１７の中心軸は軸体８と一致するよう構成されている。
また、変形例に係る指ケア用具１Ｂでは、指保持具４の軸体８に着脱可能にアタッチメント１７を設けてもよいし、指保持具４の軸体８から容易にアタッチメント１７が外れないようにアタッチメント１７を取設してもよい。
このアタッチメント１７は、軸体８に対して十分太く設定されていて、作業者がアタッチメント１７を備えた指保持具４を見た際に、指保持具４の回転軸がアタッチメント１７の中心軸（中心軸３）であることを直感的に理解することができる。
この場合、本実施の形態に係る指ケア用具１Ｂを製造する際の組立工程において、吸液材１６を収容した容器体２内に、指保持具４の回転軸３方向に直進させながら指保持具４を挿入することが容易になる。そして、指保持具４の挿設時に容器体２の軸受２ｄと指保持具４との間に吸液材１６が挟まるという不具合を生じ難くすることができる。
この結果、本実施の形態に係る指ケア用具１Ｂを製造する際の組立工程において不良品の発生を少なくできるので、製品の歩留まりを向上できるというメリットがある。
【００３７】
なお、先の図１〜３，６，７に示す本実施の形態に係る指ケア用具１Ａにおける指保持具４は、図１０に記載される指保持具４とアタッチメント１７とを一体に成形した形態である。よって、本実施の形態に係る指ケア用具１Ａにおける指保持具４を用いる場合も、指保持具４を見た際に、指保持具４の回転軸がアタッチメント１７の中心軸（中心軸３）であることを直感的に理解することができる。
従って、本実施の形態に係る指ケア用具１Ａは、指保持具４がアタッチメント１７を備えることによる効果も備えている。
【産業上の利用可能性】
【００３８】
以上説明したように本発明は、容器体又は指保持具の回動量が少ない場合でも指先の爪の左右両縁部分を隅々まで吸液材によりしっかりと摩擦して確実に拭うことができ、しかも、その際の使用感が快適である指ケア用具であり、爪ケア用品及び美容に関する分野において利用可能である。
【符号の説明】
【００３９】
１Ａ，１Ｂ…指ケア用具  ２…容器体  ２ａ…開口  ２ｂ…フランジ受け部  ２ｃ…底部  ２ｄ…軸受  ３…中心軸（回動軸）  ４，４Ａ〜４Ｃ…指保持具  ４ａ…鞘部  ４ｂ…縮径側端部  ４ｃ…拡径側端部  ４ｄ…胴部  ４ｅ…先端  ５…隙間  ６…蓋体  ７…パッキン  ８…軸体  ９…窓部  ９ａ…窓縁  １０…フランジ部  １１…中心軸  １２，１２Ａ〜１２Ｃ…突条  １３…軟質材  １４…指  １４ａ…指先  １５…爪  １６…吸液材  １７…アタッチメント  １８…境界  Ｐ…平面
【図１】
2015213693.tif 000003
【図２】
2015213693.tif 000004
【図３】
2015213693.tif 000005
【図４】
2015213693.tif 000006
【図５】
2015213693.tif 000007
【図６】
2015213693.tif 000008
【図７】
2015213693.tif 000009
【図８】
2015213693.tif 000010
【図９】
2015213693.tif 000011
【図１０】
2015213693.tif 000012
【図１１】
2015213693.tif 000013
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
上部に開口を有する容器体と、この容器体の前記開口又はその近傍，及び，前記容器体の底部において支持されて，前記容器体の中心軸と平行な回転軸を基軸に回動可能に取設される少なくとも１つの指保持具と、前記容器体の内側面と前記指保持具との隙間に収容され，柔軟性を有しかつ爪ケア用液が含浸された吸液材と、前記容器体の前記開口を水密に封止するための蓋体とを有し、
前記指保持具は、中空状のテーパー体からなる鞘部と、この鞘部の縮径側端部又はその近傍に延設されて，前記容器体の前記底部に枢設される軸体と、前記鞘部の胴部がくさび形状に切り欠かれてなる窓部と、前記鞘部の拡径側端部に周設されるフランジ部とを備え、
前記指保持具の前記回転軸と，前記鞘部の中心軸との成す角度θ１は、１°≦θ１≦４５°の範囲内であり、
前記窓部においてＶ字形を成す窓縁を含む平面は、前記指保持具を側面視した場合に、前記鞘部の前記中心軸よりも前記回転軸から遠ざかる方向に位置し、
前記窓部において前記Ｖ字形を形成する窓縁は、前記鞘部の内側に向かって突出する突条を具備し、  
前記突条の凸面は曲面状であり、
前記鞘部に指を挿入した際に、前記Ｖ字形を形成する前記突条が、指先の左右側方から爪と指肉の間にくい込んで、前記窓縁上に前記爪の先端部が載置された状態になることを特徴とする爪ケア用具。
【請求項２】
前記突条の少なくとも一部又は全部は、前記鞘部よりも柔らかい材質からなることを特徴とする請求項１記載の爪ケア用具。
【請求項３】
前記軸体は着脱可能なアタッチメントを備えることを特徴とする請求項１又は請求項２に記載の爪ケア用具。
【手続補正２】
【補正対象書類名】明細書
【補正対象項目名】００１０
【補正方法】変更
【補正の内容】
【００１０】
上記目的を達成するため請求項１記載の発明である爪ケア用具は、上部に開口を有する容器体と、この容器体の開口又はその近傍，及び，容器体の底部において支持されて，容器体の中心軸と平行な回転軸を基軸に回動可能に取設される少なくとも１つの指保持具と、容器体の内側面と指保持具との隙間に収容され，柔軟性を有しかつ爪ケア用液が含浸された吸液材と、容器体の開口を水密に封止するための蓋体とを有し、指保持具は、中空状のテーパー体からなる鞘部と、この鞘部の縮径側端部又はその近傍に延設されて，容器体の底部に枢設される軸体と、鞘部の胴部がくさび形状に切り欠かれてなる窓部と、鞘部の拡径側端部に周設されるフランジ部とを備え、指保持具の回転軸と，鞘部の中心軸との成す角度θ１は、１°≦θ１≦４５°の範囲内であり、窓部においてＶ字形を成す窓縁を含む平面は、指保持具を側面視した場合に、鞘部の中心軸よりも回転軸から遠ざかる方向に位置し、窓部においてＶ字形を形成する窓縁は、鞘部の内側に向かって突出する突条を具備し、突条の凸面は曲面状であり、鞘部に指を挿入した際に、Ｖ字形を形成する突条が、指先の左右側方から爪と指肉の間にくい込んで、窓縁上に爪の先端部が載置された状態になることを特徴とするものである。
上記構成の請求項１記載の発明において、容器体は指保持具を直接又は間接的に回動可能に保持するとともに、爪ケア用液が含浸された吸液材を収容するという作用を有する。また、蓋体は、容器体を水密に封止するという作用を有する。
さらに、指保持具はケアしようとする指を保定するという作用を有する。この指保持具を、中空状のテーパー体からなる鞘部と、この鞘部の胴部をくさび形状に切り欠いてなる窓部とにより構成することで、鞘部におけるＶ字状の窓部の左右両側の窓縁により指先を挟持して保持するという作用を有する。また、軸体は鞘部をその中心軸に対して１−４５°の範囲内で偏心させた状態で容器体の底部に枢設させるという作用を有する。つまり、請求項１記載の発明において、鞘部の中心軸は、その回転軸に対して１−４５°の範囲内で偏心している。さらに、フランジ部は容器体の開口又はその近傍に鞘部を回動可能に係止させるという作用を有する。そして、Ｖ字形を形成する窓縁において鞘部の内側に向かって突出する突条は、Ｖ字形を形成する窓縁において挟持される指先の窓縁との接触部分を鞘部の内側に押圧するという作用を有する。
また、窓部のＶ字形を成す窓縁を含む平面が、指保持具を側面視した場合に、鞘部の中心軸よりも回転軸から遠ざかる方向に位置していることで、特許文献２，３に開示される指保護鞘と比較して、鞘部の深さが深くなる。これにより、鞘部の中空部内に指先を挿入した際に、指先の指肉が鞘部の中空部内に完全に収容されるとともに、爪は窓縁上に載置されたような状態で窓部から裸出する。このとき、先の図１１に示す指先において、爪の左右両方の境界近傍における指肉の盛り上がり部分は、突条により指の内側に押し込まれて爪が浮き上がったような状態となる。つまり、突条は指先の側面における爪と指肉の境界部分にくい込んだ状態となる。
つまり、請求項１記載の発明によれば、爪の左右両縁がしっかりと鞘部から裸出した状態になるので、この状態のまま容器体を回転軸を基軸に回動させることで、爪の表面の隅々をくまなく、吸液材を密着させたまま摩擦することができる。この結果、爪の表面の隅々を吸液材で拭うことが可能になる。よって、爪の左右側縁の指肉との境界部分の爪エナメルや汚れを迅速にかつ確実に拭い取ることを可能にするという作用を有する。あるいは、爪の左右側縁の指肉との境界部分に余すことなく爪ケア用液を行き渡らせるという作用を有する。
そして、突条の凸面が曲面状であることで、指先の側面における爪と指肉の境界部分に突条がくい込んだ際に、使用者側が感じる痛みを軽減するという作用を有する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項３記載の発明である爪ケア用具は、請求項１又は請求項２に記載の爪ケア用具であって、軸体は着脱可能なアタッチメントを備えることを特徴とするものである。
上記構成の請求項３記載の発明は、請求項１又は請求項２に記載の発明と同じ作用に加えて、容器体の底部に軸体を枢設する際に軸体と容器体の底部との間に介設されるアタッチメントは、鞘部と容器体の底部との間に隙間を出来にくくするという作用を有する。
これにより、吸液材を収容した容器体に指保持具を挿設する際に、軸部の先端と容器体の底部との間に吸液材が挟まるのを抑制するという作用を有する。
この場合、容器体に指保持部を適切にセッティングすることが可能となり、請求項３記載の発明の製造時に、不良品を発生し難くするという作用を有する。
【手続補正５】
【補正対象書類名】明細書
【補正対象項目名】００１４
【補正方法】変更
【補正の内容】
【００１４】
本発明の請求項１に記載の発明によれば、指保持具の窓縁上に爪先を載置したような状態で窓部から爪の表面を裸出させつつ、指先の指肉は鞘部内にしっかりと収容することができる。さらに、請求項１記載の発明によれば、Ｖ字形を成す窓縁により指先の爪の左右両縁近傍における指肉の盛り上がった部分を爪の下に押し込んだ状態で指先を保持することができる。
この時、請求項１記載の発明では、窓縁に形成される突条により指先の爪と指肉の境界部分の指肉が指の中心側に押し込まれた状態になる。つまり、指先の爪と指肉の境界部分に突条がくい込んだ状態になるが、突条の凸面が曲面状であるため、使用者が指先に感じる痛みや不快感は大幅に軽減される。
つまり、請求項１記載の発明によれば、指保持具に指先を挿入した際に指先に痛みや不快感をあまり感じさせることなく、指先の爪と指肉の境界から上の部分（爪側）を窓部から裸出させる一方、指先の指肉部分は鞘部内に完全に収容した状態にすることができる。
特許文献２，３に開示される発明の場合、指保護鞘のＶ字形を成す窓縁を含む平面が指保護鞘の中心軸とほぼ一致するように配設されるため、指保護鞘の中心軸に対する垂直断面における中空部の深さ浅くなり、指の厚みのほぼ半分の領域しか指保護鞘内に収容することができなかった。このため、特許文献２，３に開示される発明では、指保護鞘のＶ字形を成す窓縁により押圧されるのは、爪と指肉の境界よりも手の平に近い側の指肉であった。この場合、爪の左右両縁近傍において盛り上がった指肉が、指保護鞘のＶ字形を成す窓縁により押し縮められて、爪の左右両縁に締まった堤防状の指肉の盛り上がりが形成されて、この堤防のような指肉の盛り上がりのために爪の左右両縁に吸液材をしっかりと接触させることが困難であった。
これに対して、本願請求項１に記載の発明では、指保持具のＶ字形を成す窓縁により指先を挟持した場合に、爪の左右両縁の指肉の盛り上がり部分は爪の下側に押し込まれた状態になるので、爪の左右両縁に上述のような締まった指肉の盛り上がりが形成されることはなく、爪の左右両縁がＶ字形を成す窓縁上に裸出した状態になる。この場合、容器体を回転軸を基軸に回動させた場合に、あるいは、容器体に収容される指を指保持具により保持したまま回転軸を基軸に鞘部回動させた場合に、爪の表面の隅々にまでくまなく吸液材を押し当てることができる。
つまり、爪の表面の隅々までくまなく吸液材で摩擦して拭うことができる。あるいは、爪の表面の隅々までくまなく吸液材に含浸される爪ケア用液を塗り広げることができる。
この結果、請求項１に記載の発明によれば、少ない回動動作で爪の表面の隅々までくまなくケアすることができる。つまり、迅速かつ確実に爪の表面の隅々までくまなくケアすることができる。
より具体的には、吸液材に含浸される液体が、例えば、爪エナメルを除去するための除去液である場合は、請求項１に記載の発明を使用することで、特許文献２，３に開示される発明を使用する場合に比べて、少ない回動動作で爪の左右両縁部における爪エナメルを確実に除去することができる。つまり、請求項１記載の発明によれば、迅速かつ確実に爪の表面から爪エナメルを除去することができる。
また、上述のような請求項１に記載の発明による効果は、鞘部の窓縁に形成される突条を、指先の左右両側の爪と指肉の境界にくい込ませることにより実現されるものであるが、請求項１に記載の発明では、突条の凸面が曲面状であるため、使用者が感じる指先の痛みや不快感を大幅に軽減される。よって、上述のような独自の効果を、使用者に痛みや不快感を与えることなく実現できる。
【手続補正６】
【補正対象書類名】明細書
【補正対象項目名】００１６
【補正方法】変更
【補正の内容】
【００１６】
請求項３記載の発明は、請求項１又は請求項２のそれぞれに記載の発明と同じ効果に加えて、請求項３記載の発明を組み立てる際に、容器体の底部と軸体の間に、吸液材が挟まるのを抑制できる。この場合、指保持具の回動動作を円滑にすることができる。よって、請求項３記載の発明を組み立てる際の製品の不良品化を防止して、製品製造時の歩留まりを高めることができる。